【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
二つの画像形成装置から受け取ったシートを処理トレイに重ねて積載し、重ねて積載された複数枚のシートからなるシート束に選択的に処理を行うシート処理装置において、
二つの画像形成装置のうちの一方の画像形成装置から受け取ったシートを前記処理トレイへ排出する第一排出部と、
前記処理トレイに対して前記第一排出部と対向する位置に配置され、前記二つの画像形成装置のうちの他方の画像形成装置から受け取ったシートを前記処理トレイへ排出する第二排出部と、
前記第一排出部と前記第二排出部を制御する制御部と、を有し、
前記第一排出部と前記第二排出部は、前記処理トレイに排出されるシートが互いに重なって積載されるように対向する位置に配置され、
前記制御部は、前記第一排出部と前記第二排出部により前記処理トレイにシートが連続して排出される際に、一方の排出部により排出されるシートの先端が他方の排出部により排出されるシートのシート面に当接するように、前記第一排出部と前記第二排出部により前記処理トレイにシートが排出されるタイミングを制御することを特徴とするシート処理装置。
【請求項２】
前記一方の画像形成装置から受け取ったシートの位置を検知する第一検知手段と、前記他方の画像形成装置から受け取ったシートの位置を検知する第二検知手段と、を有し、
前記制御部は、前記第一検知手段及び前記第二検知手段が検知した相互のシートの位置情報に基づいて、各画像形成装置からシートを受け取った二つの排出部のうちの一方の排出部を一時停止することで、前記第一排出部及び前記第二排出部によるシートの排出タイミングをずらすことを特徴とする請求項１に記載のシート処理装置。
【請求項３】
前記制御部は、前記第一排出部と前記第二排出部により交互にシートを排出するよう前記第一排出部と前記第二排出部を制御することを特徴とする請求項１又は２に記載のシート処理装置。
【請求項４】
前記第一排出部は、一組の排出ローラを有し、
前記第一排出部の排出ローラは、排出ローラのニップ点から延長され排出ローラの回転中心を結ぶ直線に直交するニップ線が、前記ニップ点からシート排出方向に水平に伸びる水平線に対して下に伸びるように前記シート排出方向に下向きに傾き、
前記制御部は、前記第一排出部と前記第二排出部により前記処理トレイにシートが連続して排出される際に、前記第二排出部により排出されるシートの先端が前記第一排出部の前記一組の排出ローラにより排出されているシートのシート面に当接して、前記第一排出部と前記第二排出部の下に位置する処理トレイに落下するように、前記第一排出部と前記第二排出部により前記処理トレイにシートが排出されるタイミングを制御することを特徴とする請求項１乃至３のいずれか１項に記載のシート処理装置。
【請求項５】
前記第二排出部は、一組の排出ローラを有し、
前記第二排出部の排出ローラは、排出ローラのニップ点から延長され排出ローラの回転中心を結ぶ直線に直交するニップ線が、前記ニップ点からシート排出方向に水平に伸びる水平線に対して下に伸びるように前記シート排出方向に下向きに傾き、
前記制御部は、前記第一排出部と前記第二排出部により前記処理トレイにシートが連続して排出される際に、前記第一排出部により排出されるシートの先端が前記第二排出部の前記一組の排出ローラにより排出されているシートのシート面に当接して、前記第一排出部と前記第二排出部の下に位置する処理トレイに落下するように、前記第一排出部と前記第二排出部により前記処理トレイにシートが排出されるタイミングを制御することを特徴とする請求項４に記載のシート処理装置。
【請求項６】
シートに画像を形成する画像形成部をそれぞれ有する二つの画像形成装置と、
請求項１乃至５のいずれか１項に記載のシート処理装置と、
を有することを特徴とする画像形成システム。
【請求項７】
シートを給送する給送部と給送されたシートに画像を形成する画像形成部とをそれぞれ有する二つの画像形成装置と、
前記二つの画像形成装置から受け取ったシートを重ねて積載し、重ねて積載された複数枚のシートからなるシート束に選択的に処理を行う処理トレイと、
二つの画像形成装置のうちの一方の画像形成装置から受け取ったシートを前記処理トレイへ排出する第一排出部と、
前記処理トレイに対して前記第一排出部と対向する位置に配置され、前記二つの画像形成装置のうちの他方の画像形成装置から受け取ったシートを前記処理トレイへ排出する第二排出部と、
前記二つの画像形成装置の各給送部を制御する制御部と、を有し、
前記制御部は、前記シート処理装置における前記第一排出部と前記第二排出部により前記処理トレイにシートが連続して排出される際に、一方の排出部により排出されるシートの先端が他方の排出部により排出されるシートのシート面に当接するように、前記二つの画像形成装置の各給送部によりシートを給送するタイミングを制御することを特徴とする画像形成システム。
【請求項８】
前記制御部は、一方の画像形成装置の給送を開始する際に、所定の時間内に他方の画像形成装置が給送を開始していた場合には、前記所定の時間だけ待ってから給送を開始することで、前記二つの画像形成装置の各給送部によるシートの給送タイミングをずらすことを特徴とする請求項７に記載の画像形成システム。
【請求項９】
前記制御部は、前記二つの画像形成装置の各給送部により交互にシートを排出するよう前記各給送部を制御することを特徴とする請求項７又は８に記載の画像形成システム。
【請求項１０】
前記第一排出部は、一組の排出ローラを有し、
前記第一排出部の排出ローラは、排出ローラのニップ点から延長され排出ローラの回転中心を結ぶ直線に直交するニップ線が、前記ニップ点からシート排出方向に水平に伸びる水平線に対して下に伸びるように前記シート排出方向に下向きに傾き、
前記制御部は、前記シート処理装置における前記第一排出部と前記第二排出部により前記処理トレイにシートが連続して排出される際に、前記第二排出部により排出されるシートの先端が前記第一排出部の前記一組の排出ローラにより排出されているシートのシート面に当接して、前記第一排出部と前記第二排出部の下に位置する処理トレイに落下するように、前記二つの画像形成装置の各給送部によりシートを給送するタイミングを制御することを特徴とする請求項７乃至９のいずれか１項に記載の画像形成システム。
【請求項１１】
前記第二排出部は、一組の排出ローラを有し、
前記第二排出部の排出ローラは、排出ローラのニップ点から延長され排出ローラの回転中心を結ぶ直線に直交するニップ線が、前記ニップ点からシート排出方向に水平に伸びる水平線に対して下に伸びるように前記シート排出方向に下向きに傾き、
前記制御部は、前記第一排出部と前記第二排出部により前記処理トレイにシートが連続して排出される際に、前記第一排出部により排出されるシートの先端が前記第二排出部の前記一組の排出ローラにより排出されているシートのシート面に当接して、前記第一排出部と前記第二排出部の下に位置する処理トレイに落下するように、前記二つの画像形成装置の各給送部によりシートを給送するタイミングを制御することを特徴とする請求項１０に記載の画像形成システム。
【手続補正２】
【補正対象書類名】明細書
【補正対象項目名】０００９
【補正方法】変更
【補正の内容】
【０００９】
上記目的を達成するため、本発明は、二つの画像形成装置から受け取ったシートを処理トレイに重ねて積載し、重ねて積載された複数枚のシートからなるシート束に選択的に処理を行うシート処理装置において、二つの画像形成装置のうちの一方の画像形成装置から受け取ったシートを前記処理トレイへ排出する第一排出部と、前記処理トレイに対して前記第一排出部と対向する位置に配置され、前記二つの画像形成装置のうちの他方の画像形成装置から受け取ったシートを前記処理トレイへ排出する第二排出部と、前記第一排出部と前記第二排出部を制御する制御部と、を有し、前記第一排出部と前記第二排出部は、前記処理トレイに排出されるシートが互いに重なって積載されるように対向する位置に配置され、前記制御部は、前記第一排出部と前記第二排出部により前記処理トレイにシートが連続して排出される際に、一方の排出部により排出されるシートの先端が他方の排出部により排出されるシートのシート面に当接するように、前記第一排出部と前記第二排出部により前記処理トレイにシートが排出されるタイミングを制御することを特徴とする。